(57)【特許請求の範囲】
【請求項１】
ユーザ端末と、ネットワークを介してユーザ端末と通信可能なサーバとを備える紹介システムであって、
紹介者のユーザ端末が紹介キャンペーンサイトにアクセスし、前記紹介者の識別情報を入力すると、前記紹介者を前記紹介キャンペーンサイトの新規会員として登録し、前記紹介キャンペーンサイトへのログインを可能とする会員登録部と、
前記紹介キャンペーンサイトにログインしている前記紹介者のユーザ端末により、当該紹介キャンペーンサイトの紹介キーが選択されると、前記紹介者の識別情報を含む紹介キャンペーンサイトのアドレスを、前記紹介者により紹介される被紹介者のユーザ端末に提供する紹介キャンペーン提供部と、
前記被紹介者のユーザ端末が前記紹介キャンペーンサイトのアドレスを用いて前記紹介キャンペーンサイトにアクセスすると、前記紹介キャンペーンサイトのアドレスに含まれる紹介者の識別情報に基づいて、前記紹介者を特定するとともに、前記紹介者を含む紹介メッセージ画面を表示させる紹介登録部と
を備えることを特徴とする紹介システム。
【請求項２】
前記紹介キャンペーン提供部は、ＳＮＳを利用して紹介メッセージを送るためのＳＮＳ用紹介キーが選択されると、前記紹介者のユーザ端末にＳＮＳサイトのＳＮＳメッセージ画面を表示させるとともに、前記ＳＮＳメッセージ画面に前記紹介キャンペーンサイトのアドレスを付加し、前記紹介者のＳＮＳユーザを前記被紹介者にして、前記ＳＮＳユーザのユーザ端末に前記紹介キャンペーンサイトのアドレスを提供する
請求項１に記載の紹介システム。
【請求項３】
前記被紹介者が前記紹介キャンペーンサイトの新規会員として登録されると、前記紹介キャンペーンサイトにおいて、前記紹介者と、前記被紹介者のいずれか又は両方に対してプレゼント申請を許可するプレゼント申請部
を更に備える
請求項１又は２に記載の紹介システム。
【請求項４】
ユーザ端末と、ネットワークを介してユーザ端末と通信可能なサーバとを備える紹介システムの紹介方法であって、
紹介者のユーザ端末が紹介キャンペーンサイトにアクセスし、前記紹介者の識別情報を入力すると、前記紹介者を前記紹介キャンペーンサイトの新規会員として登録し、前記紹介キャンペーンサイトへのログインを可能とする会員登録ステップと、
前記紹介キャンペーンサイトにログインしている前記紹介者のユーザ端末により、当該紹介キャンペーンサイトの紹介キーが選択されると、前記紹介者の識別情報を含む紹介キャンペーンサイトのアドレスを、前記紹介者により紹介される被紹介者のユーザ端末に提供する紹介キャンペーン提供ステップと、
前記被紹介者のユーザ端末が前記紹介キャンペーンサイトのアドレスを用いて前記紹介キャンペーンサイトにアクセスすると、前記紹介キャンペーンサイトのアドレスに含まれる紹介者の識別情報に基づいて、前記紹介者を特定するとともに、前記紹介者を含む紹介メッセージ画面を表示させる紹介登録ステップと
を備えることを特徴とする紹介方法。
【発明の詳細な説明】
【技術分野】
【０００１】
本発明は、紹介システム及び紹介方法に関する。
【背景技術】
【０００２】
従来より、インターネットを利用した紹介システムが存在する。例えば、特開２００７−６５７８３号公報（特許文献１）には、招待したいＷＥＢサイトに関連するＵＲＬを記述した招待メールを招待元から招待先に送信するインターネット情報資源紹介システムが開示されている。
【０００３】
又、特開２０１４−１６７７０号公報（特許文献２）には、ソーシャルネットワーキングサービス（ＳＮＳ）のコミュニティをイベントの宣伝に活用し、このコミュニティから電子チケットの発券システムへ顧客（ファン）を導くマーケティングシステムが開示されている。
【０００４】
又、特開２０１６−３８８９２号公報（特許文献３）には、紹介者からの割引特典の情報を受信した被紹介者が、サロンに来店した際、割引特典の情報画面をサロン店主又はスタイリストに提示することで、割引特典を受けられる、情報通信ネットワークを利用した顧客紹介システムが開示されている。
【先行技術文献】
【特許文献】
【０００５】
【特許文献１】特開２００７−６５７８３号公報
【特許文献２】特開２０１４−１６７７０号公報
【特許文献３】特開２０１６−３８８９２号公報
【発明の概要】
【発明が解決しようとする課題】
【０００６】
近年、スポーツジム、教習所、塾等の会員制のサービスを提供するサービス提供者は、新規会員（新規顧客）を開拓する手段として、友人、家族等の紹介による紹介キャンペーンを利用している。紹介キャンペーンは、典型的には、既に入会しているユーザが紹介者となり、自分の友人、家族等を被紹介者にして、サービスのキャンペーンを紹介し、紹介された被紹介者が入会することで、サービス提供者が、紹介者及び被紹介者に特典を提供し、紹介者には紹介のモチベーションを与え、被紹介者には入会のモチベーションを与えるものである。
【０００７】
しかしながら、この紹介キャンペーンでは、被紹介者が入会した際に、サービス提供者が、被紹介者を紹介した紹介者を把握することが必要であるものの、被紹介者が入会する場合に、紹介者と同行することは稀であることから、サービス提供者が、誰が被紹介者を紹介したのか、誰が紹介者なのか等を十分に把握することは難しいという課題がある。
【０００８】
一方、近年、ＳＮＳ（Ｓｏｃｉａｌ  Ｎｅｔｗｏｒｋｉｎｇ  Ｓｅｒｖｉｃｅ）の普及により、遠くに離れた場所のユーザ同士のコミュニケーションがネットワーク上で盛んに行われてきている。そのことから、紹介キャンペーンとＳＮＳとの連携により、多くの新規会員の入会を見込める可能性がある。
【０００９】
しかしながら、被紹介者がネットワーク上で紹介者に紹介される場合、ネットワーク上のサービス提供者は、最初は、被紹介者にとって見知らぬ人であるから、被紹介者に不安が生じ易く、入会を阻害するという課題がある。又、上述した特許文献１−３に記載の技術では、単に紹介先を表示させるだけである。
【００１０】
そこで、本発明は、前記課題を解決するためになされたものであり、ネットワーク上で紹介者がサービス提供者に被紹介者を紹介した際に、サービス提供者が紹介者を正確に把握することが出来るとともに、被紹介者を安心させることが可能な紹介システム及び紹介方法を提供することを目的とする。
【課題を解決するための手段】
【００１１】
本発明に係る紹介システムは、ユーザ端末と、ネットワークを介してユーザ端末と通信可能なサーバとを備える紹介システムであって、会員登録部と、紹介キャンペーン提供部と、紹介登録部とを備える。会員登録部は、紹介者のユーザ端末が紹介キャンペーンサイトにアクセスし、前記紹介者の識別情報を入力すると、前記紹介者を前記紹介キャンペーンサイトの新規会員として登録し、前記紹介キャンペーンサイトへのログインを可能とする。紹介キャンペーン提供部は、前記紹介キャンペーンサイトにログインしている前記紹介者のユーザ端末により、当該紹介キャンペーンサイトの紹介キーが選択されると、前記紹介者の識別情報を含む紹介キャンペーンサイトのアドレスを、前記紹介者により紹介される被紹介者のユーザ端末に提供する。紹介登録部は、前記被紹介者のユーザ端末が前記紹介キャンペーンサイトのアドレスを用いて前記紹介キャンペーンサイトにアクセスすると、前記紹介キャンペーンサイトのアドレスに含まれる紹介者の識別情報に基づいて、前記紹介者を特定するとともに、前記紹介者を含む紹介メッセージ画面を表示させる。
【００１２】
本発明に係る紹介方法は、ユーザ端末と、ネットワークを介してユーザ端末と通信可能なサーバとを備える紹介システムの紹介方法であって、会員登録ステップと、紹介キャンペーン提供ステップと、紹介登録ステップと、を備える。会員登録ステップは、紹介者のユーザ端末が紹介キャンペーンサイトにアクセスし、前記紹介者の識別情報を入力すると、前記紹介者を前記紹介キャンペーンサイトの新規会員として登録し、前記紹介キャンペーンサイトへのログインを可能とする。紹介キャンペーン提供ステップは、前記紹介キャンペーンサイトにログインしている前記紹介者のユーザ端末により紹介キーが選択されると、前記紹介者の識別情報を含む紹介キャンペーンサイトのアドレスを、前記紹介者により紹介される被紹介者のユーザ端末に提供する。紹介登録ステップは、前記被紹介者のユーザ端末が前記紹介キャンペーンサイトのアドレスを用いて前記紹介キャンペーンサイトにアクセスすると、前記紹介キャンペーンサイトのアドレスに含まれる紹介者の識別情報に基づいて、前記紹介者を特定するとともに、前記紹介者を含む紹介メッセージ画面を表示させる。
【発明の効果】
【００１３】
本発明によれば、ネットワーク上で紹介者がサービス提供者に被紹介者を紹介した際に、サービス提供者が紹介者を正確に把握することが出来るとともに、被紹介者を安心させることが可能となる。
【図面の簡単な説明】
【００１４】
【図１】本発明の実施形態に係る紹介システムの構成の一例を示す概略図である。
【図２】本発明の実施形態に係る紹介システムの機能ブロック図である。
【図３】本発明の実施形態に係る紹介方法の実行手順を示すためのフローチャートである。
【図４】本発明の実施形態に係る新規会員受付画面及び案内メールの一例を示す図（図４Ａ）と、本発明の実施形態に係る新規会員登録画面及び会員登録テーブルの一例を示す図（図４Ｂ）と、である。
【図５】本発明の実施形態に係るログイン画面及びホーム画面の一例を示す図（図５Ａ）と、本発明の実施形態に係る紹介メッセージ画面及び紹介選択画面の一例を示す図（図５Ｂ）と、である。
【図６】本発明の実施形態に係るＳＮＳログイン画面及び紹介キャンペーンサイトのアドレスの一例を示す図（図６Ａ）と、本発明の実施形態に係るＳＮＳメッセージ画面及びＳＮＳユーザの選択の一例を示す図（図６Ｂ）と、である。
【図７】本発明の実施形態に係るＳＮＳメッセージ画面及びホーム画面の一例を示す図（図７Ａ）と、本発明の実施形態に係るＳＮＳログイン画面及びＳＮＳホーム画面の一例を示す図（図７Ｂ）と、である。
【図８】本発明の実施形態に係るＳＮＳメッセージ画面及び紹介メッセージ画面の一例を示す図（図８Ａ）と、本発明の実施形態に係る来店カード画面及び来店カードテーブルの一例を示す図（図８Ｂ）と、である。
【図９】本発明の実施形態に係る会員登録テーブル及び新規会員登録画面の一例を示す図（図９Ａ）と、本発明の実施形態に係る会員登録テーブル及びプレゼント申請画面の一例を示す図（図９Ｂ）と、である。
【図１０】本発明の実施形態に係るプレゼントメール及びプレゼント申請画面の一例を示す図（図１０Ａ）と、本発明の実施形態に係るメール送信画面の一例を示す図（図１０Ｂ）と、本発明の実施形態に係るＱＲ画面の一例を示す図（図１０Ｃ）と、である。
【発明を実施するための形態】
【００１５】
以下に、添付図面を参照して、本発明の実施形態について説明し、本発明の理解に供する。尚、以下の実施形態は、本発明を具体化した一例であって、本発明の技術的範囲を限定する性格のものではない。
【００１６】
紹介システム１は、図１に示すように、ユーザ端末１０と、ネットワーク１１を介してユーザ端末１０と通信可能なサーバ１２とを備えている。ユーザ端末１０は、例えば、タッチパネル付きの携帯端末装置（スマートフォン）、ウェアラブル端末装置、タブレット型端末装置、携帯用のノートパソコン、ディスクトップ型端末装置等である。ユーザ端末１０は、画面を表示する端末出力部（端末表示部）と、ユーザの操作により所定の指示の入力を受け付ける端末入力部（端末受付部）と、ネットワーク１１へ通信する端末通信部と、を備えている。
【００１７】
本発明の実施形態では、例えば、ユーザ端末１０として、ユーザＡ（紹介者）の所有するユーザ端末１０ａと、ユーザＢ（被紹介者）の所有するユーザ端末１０ｂと、会員制のサービスを提供する店舗に設置された店舗端末１０ｃとが存在する。
【００１８】
ネットワーク１１は、基地局を介したＷＡＮ（Ｗｉｄｅ  Ａｒｅａ  Ｎｅｔｗｏｒｋ）と、アクセルポイント又はルータを介したＬＡＮ（Ｌｏｃａｌ  Ａｒｅａ  Ｎｅｔｗｏｒｋ）とを含む。ＷＡＮは、例えば、モバイルインターネット、３Ｇ（３ｒｄ  Ｇｅｎｅｒａｔｉｏｎ）、ＬＴＥ（Ｌｏｎｇ  Ｔｅｒｍ  Ｅｖｏｌｕｔｉｏｎ）等であり、ＬＡＮは、例えば、ＷｉＦｉ（Ｗｉｒｅｌｅｓｓ  Ｆｉｄｅｌｉｔｙ）を含む。
【００１９】
サーバ１２は、ネットワーク１２を介して、ユーザ端末１０の要求に対してデータを送信し、ユーザ端末１０の端末表示部に画面を表示したり、ユーザ端末１０の端末受付部からのデータを受け取り、処理をしたりする。
【００２０】
本発明の実施形態では、例えば、サーバ１２として、紹介システム１を構築する紹介サーバ１２ａと、ＳＮＳ（Ｓｏｃｉａｌ  Ｎｅｔｗｏｒｋｉｎｇ  Ｓｅｒｖｉｃｅ）を構築するＳＮＳサーバ１２ｂとが存在する。ＳＮＳは、例えば、Ａｍｅｂａ、Ｆａｃｅｂｏｏｋ、Ｇｏｏｇｌｅ＋、ＧＲＥＥ、Ｉｎｓｔａｇｒａｍ、ＬＩＮＥ、ＬｉｎｋｅｄＩｎ、ｍｉｘｉ、Ｍｉｉｖｅｒｓｅ、Ｍｏｂａｇｅ、Ｍｙｓｐａｃｅ、Ｐｉｎｔｅｒｅｓｔ、Ｓｉｎａ  Ｗｅｉｂｏ、Ｓｋｙｐｅ、Ｔｕｍｂｌｒ、Ｖｉｎｅ、ＷｅＣｈａｔ、Ｔｗｉｔｔｅｒを含む。サーバ１２は、複数のサーバで構成されるクラウドサーバであっても良い。
【００２１】
紹介システム１では、必要に応じて、配送センタ１３（郵送センタ）を備える。配送センタ１３は、例えば、ネットワーク１１を介して店舗端末１０ｃ（又は管理端末）からの指示により、ユーザ（紹介者又は被紹介者）が選択した商品を、ユーザ（紹介者又は被紹介者）の住所に配送する。
【００２２】
ユーザ端末１０、サーバ１２は、図示しないＣＰＵ、ＲＯＭ、ＲＡＭ等を内蔵しており、ＣＰＵは、例えば、ＲＡＭを作業領域として利用し、ＲＯＭ等に記憶されているプログラムを実行する。又、後述する各部についても、ＣＰＵがプログラムを実行することで当該各部を実現する。
【００２３】
次に、図２、図３を参照しながら、本発明の実施形態に係る構成及び実行手順について説明する。サービス提供者は、会員制のサービス（例えば、スポーツクラブ、フィットネスクラブ、サロン、教習所、塾、習い事等）を提供し、複数の店舗を各地域で展開している。先ず、ユーザＡ（例えば、「ａａａ」）が、会員制のサービスを利用するために、所定の店舗（例えば、「ＺＺＺ」）に訪問して、入会手続きを行う。店舗（「ＺＺＺ」）の従業員は、ユーザＡから氏名、住所等の個人情報を会員情報として受け付けて、店舗端末１０ｃに入力することで、ユーザＡの入会が完了する（図３：Ｓ１０１）。
【００２４】
ユーザＡの入会完了後、店舗の従業員は、ユーザＡに、紹介キャンペーンサイトのアドレスを教えて、紹介キャンペーンサイトの会員登録を促す。ユーザＡは、自分が所有するユーザ端末１０ａを用いてユーザ端末１０ａの端末入力部（例えば、キーボードキー等）に紹介キャンペーンサイトのアドレスを入力すると、ユーザ端末１０ａの端末通信部が、ネットワーク１１を介して紹介キャンペーンサイトにアクセスする。すると、紹介サーバ１２ａの会員登録部２０１が、ユーザ端末１０ａからのアクセスを受けて、紹介キャンペーンサイトにおける新規会員受付画面をユーザ端末１０ａの端末出力部に表示させる。
【００２５】
新規会員受付画面４００には、図４Ａに示すように、「メールアドレスを送信して下さい」等のメッセージ４０１と、メールアドレスの入力欄４０２と、送信キー４０３とが含まれている。
【００２６】
ここで、ユーザＡは、端末入力部を用いてメールアドレスの入力欄４０２に自己のメールアドレス（例えば、「ａａａ＠ａｂｃ」）を入力し、送信キー４０３を選択すると、ユーザ端末１０ａの端末通信部は、入力されたメールアドレスを紹介サーバ１２ａへ送信する。紹介サーバ１２ａの会員登録部２０１は、新規会員受付画面４００からメールアドレスを受信すると、会員登録テーブルに、受信したメールアドレスが存在するか否かを判定する。ここで、会員登録テーブルには、紹介キャンペーンサイトに既に登録されているユーザのメールアドレスが記憶されている。
【００２７】
受信したメールアドレスが会員登録テーブルに存在する場合は、紹介サーバ１２ａの会員登録部２０１は、「既に登録されています」等の会員登録拒否画面を、ユーザＡのユーザ端末１０ａの端末出力部に表示させる。
【００２８】
一方、受信したメールアドレスが会員登録テーブルに存在しない場合は、紹介サーバ１２ａの会員登録部２０１は、新規会員登録画面のアドレスを含む案内メールを、受信したメールアドレスに返信するとともに、「会員登録メールを送信しました」等の会員登録受付画面をユーザ端末１０ａの端末出力部に表示させる。
【００２９】
ユーザＡは、ユーザ端末１０ａを用いて自己のメールアドレスのメール受信を確認すると、紹介サーバ１２ａからの案内メールをユーザ端末１０ａの端末出力部に表示させる。
【００３０】
案内メール４０４には、図４Ａに示すように、紹介サーバ１２ａの差出人（例えば、「ｉｎｆｏ＠ｒｅｇｉｓｔｅｒ」）４０５と、ユーザＡの宛先（「ａａａ＠ａｂｃ」）４０６と、新規会員登録画面のアドレスを含む「新規会員登録ページへ」のメッセージ４０７とが含まれている。
【００３１】
ここで、ユーザＡは、端末入力部を用いてメッセージ４０７を選択すると、ユーザ端末１０ａの端末通信部が、ネットワーク１１を介してメッセージ４０７の新規会員登録画面にアクセスし、紹介サーバ１２ａの会員登録部２０１が、ユーザ端末１０ａからのアクセスを受けて、新規会員登録画面をユーザ端末１０ａの端末出力部に表示させる。
【００３２】
新規会員登録画面４０８には、図４Ｂに示すように、「個人情報を入力して下さい」等のメッセージ４０９と、氏名の入力欄４１０と、メールアドレスの入力欄４１１と、パスワードの入力欄４１２と、送信キー４１３とが含まれている。
【００３３】
ここで、ユーザＡは、端末入力部を用いて氏名の入力欄４１０に自己の氏名（例えば、「ａａａ」）と、メールアドレスの入力欄４１１に自己のメールアドレス（「ａａａ＠ａｂｃ」）と、パスワードの入力欄４１２に任意に決めたパスワード（例えば、「１１１」）とを入力し、送信キー４１３を選択すると、ユーザ端末１０ａの端末通信部は、入力された氏名と、メールアドレスと、パスワードとを紹介サーバ１２ａへ送信する。紹介サーバ１２ａの会員登録部２０１は、新規会員登録画面４０８から、氏名と、メールアドレスと、パスワードとを受信すると、会員登録テーブルに記憶させる。
【００３４】
会員登録テーブル４１４には、図４Ｂに示すように、紹介者４１５と、メールアドレス４１６と、パスワード４１７と、被紹介者４１８とが設けられており、紹介者４１５と、メールアドレス４１６と、パスワード４１７との欄に、それぞれ受信した氏名（「ａａａ」）と、メールアドレス（「ａａａ＠ａｂｃ」）と、パスワード（「１１１」）とが関連付けて記憶される。これにより、紹介サーバ１２ａの会員登録部２０１は、ユーザＡを紹介キャンペーンサイトの会員として登録し、ユーザＡの新規会員登録が完了し（図３：Ｓ１０２）、ユーザＡは、紹介キャンペーンサイトへログイン可能となる。
【００３５】
ここで、紹介サーバ１２ａのプレゼント申請部２０２は、会員登録テーブル４１４の被紹介者４１８に、新たに記憶された紹介者４１５（「ａａａ」）が存在するか否かを判定する。この時点では、ユーザＡは、誰かに紹介されて入会した訳ではないため、会員登録テーブル４１４の被紹介者４１８に紹介者４１５（「ａａａ」）は存在しない。この場合は、紹介サーバ１２ａのプレゼント申請部２０２は、ユーザＡに対してプレゼント申請を不許可とする。
【００３６】
さて、新規会員登録したユーザＡは、紹介キャンペーンサイトのアドレスを入力すると、ユーザ端末１０ａの端末通信部が、紹介キャンペーンサイトにアクセスし、紹介サーバ１２ａの会員登録部２０１が、紹介キャンペーンサイトにおけるログイン画面を、ユーザ端末１０ａの端末出力部に表示させる。
【００３７】
ログイン画面５００には、図５Ａに示すように、「メールアドレスとパスワードを入力して下さい」等のメッセージ５０１と、メールアドレスの入力欄５０２と、パスワードの入力欄５０３と、ログインキー５０４とが含まれている。
【００３８】
ここで、ユーザＡは、端末入力部を用いてメールアドレスの入力欄５０２に、自己のメールアドレス（「ａａａ＠ａｂｃ」）と、パスワードの入力欄５０３に、自己が決定したパスワード（「１１１」）とを入力し、ログインキー５０４を選択すると、ユーザ端末１０ａの端末通信部は、入力されたメールアドレスとパスワードとを紹介サーバ１２ａへ送信する。紹介サーバ１２ａの会員登録部２０１は、ログイン画面５００からメールアドレスとパスワードとを受信すると、受信したメールアドレス及びパスワードの組み合わせが、会員登録テーブルに存在するか否かを判定する。
【００３９】
受信したメールアドレス及びパスワードの組み合わせが会員登録テーブルに存在しない場合は、紹介サーバ１２ａの会員登録部２０１は、「メールアドレス又はパスワードが間違っている可能性があります」等のログイン拒否画面を、ユーザＡのユーザ端末１０ａの端末出力部に表示させ、正しいメールアドレス及びパスワードの組み合わせの入力を求める。
【００４０】
一方、受信したメールアドレス及びパスワードの組み合わせが会員登録テーブルに存在する場合は、紹介サーバ１２ａの会員登録部２０１は、ログインを成功させ、紹介サーバ１２ａの画面制御部２０３は、紹介キャンペーンサイトにおけるホーム画面をユーザ端末１０ａの端末出力部に表示させる。ホーム画面は、ログイン可能になったユーザのみ閲覧することが出来る。
【００４１】
ホーム画面５０５には、図５Ａに示すように、紹介キャンペーンを行っている店舗（「ＺＺＺ」）及びキャンペーン期間（例えば、「６月」）５０６と、キャンペーンの詳細を表示させるためのキャンペーン詳細キー５０７と、友人、家族等に紹介するための紹介キー５０８と、プレゼントを受け取るためのプレゼント申請キー５０９と、ログアウトキー５１０とが含まれている。
【００４２】
ここで、紹介サーバ１２ａのプレゼント申請部２０２は、ユーザＡに対してプレゼント申請を不許可としているため、ユーザＡがログイン中のホーム画面５０５では、プレゼント申請キー５０９を選択しても、画面変更が行われず、プレゼント申請を行うことが出来ない状態となる。
【００４３】
ユーザＡは、端末入力部を用いて紹介キー５０８を選択すると、紹介サーバ１２ａの画面制御部２０３は、紹介キー５０８の選択を受け付け、紹介サーバ１２ａの紹介キャンペーン提供部２０４は、紹介キャンペーンサイトにおける紹介メッセージ画面をユーザ端末１０ａの端末出力部に表示させる。
【００４４】
紹介メッセージ画面５１１には、図５Ｂに示すように、「紹介メッセージを書いて下さい」等のメッセージ５１２と、紹介メッセージの入力欄５１３と、確認キー５１４とが含まれている。
【００４５】
ここで、ユーザＡは、端末入力部を用いて紹介メッセージの入力欄５１３に「お勧めです。」等の紹介メッセージを入力し、確認キー５１４を選択すると、ユーザ端末１０ａの端末通信部は、入力された紹介メッセージを紹介サーバ１２ａへ送信し、紹介サーバ１２ａの紹介キャンペーン提供部２０４は、入力された紹介メッセージを示した紹介選択画面をユーザ端末１０ａの端末出力部に表示させる（図３：Ｓ１０３）。
【００４６】
紹介選択画面５１５には、図５Ｂに示すように、確認用の紹介メッセージ５１６（「お勧めです。」）と、「紹介方法を選択して下さい」等のメッセージ５１７と、ＳＮＳを利用して紹介メッセージを送るための「ＳＮＳで送る」キー５１８と、メールを利用して紹介メッセージを送るための「メールで送る」キー５１９と、ＱＲコード（登録商標）を利用して紹介メッセージを送るための「ＱＲコード（登録商標）で送る」キー５２０とが含まれている。
【００４７】
ここで、「ＳＮＳで送る」キー５１８は、例えば、特定のＳＮＳ（例えば、「Ｆａｃｅｂｏｏｋ」、「Ｔｗｉｔｔｅｒ」）の名称を表示した複数のＳＮＳキーを備えて、ユーザに所望のＳＮＳを指定させるようにしても良いし、特定のＳＮＳキーのみを備えて、特定のＳＮＳの指定のみを受け付けても良い。
【００４８】
さて、ユーザＡが、端末入力部を用いて「ＳＮＳで送る」キー５１８を選択した場合、紹介サーバ１２ａの紹介キャンペーン提供部２０４は、ユーザ端末１０ａの端末通信部に、「ＳＮＳで送る」キー５１８に対応するＳＮＳサイトにアクセスさせ、ユーザ端末１０ａの端末出力部にＳＮＳサイトのメッセージ画面を表示させる。
【００４９】
ここで、ユーザ端末１０ａがＳＮＳサイトにアクセスした際に、ＳＮＳサーバ１２ｂが、ユーザ端末１０ａからのアクセスを受けて、ＳＮＳのＩＤ及びＳＮＳのパスワードを求めるＳＮＳログイン画面をユーザ端末１０ａの端末出力部に表示させる。
【００５０】
ＳＮＳログイン画面６００は、図６Ａに示すように、紹介選択画面５１５に対してポップアップ表示され、ＳＮＳログイン画面６００には、ＳＮＳのＩＤに対応するＳＮＳのメールアドレスの入力欄６０１と、ＳＮＳのパスワードの入力欄６０２と、ログインキー６０３と、キャンセルキー６０４とが含まれている。
【００５１】
ここで、ユーザＡは、メールアドレスの入力欄６０１に、ＳＮＳサイトに予め登録した自己のメールアドレス（「ａａａ＠ａｂｃ」）と、パスワードの入力欄６０２に、ＳＮＳサイトに予め登録した自己のパスワード（「２２２」）とを入力し、ログインキー６０３を選択すると、ユーザ端末１０ａの端末通信部は、入力されたメールアドレスとパスワードとをＳＮＳサーバ１２ｂへ送信する。ＳＮＳサーバ１２ｂは、ＳＮＳログイン画面６００からメールアドレスとパスワードとを受信すると、受信したメールアドレス及びパスワードの組み合わせが、ＳＮＳ登録テーブルに存在するか否かを判定する。
【００５２】
受信したメールアドレス及びパスワードの組み合わせがＳＮＳ登録テーブルに存在しない場合は、ＳＮＳサーバ１２ｂは、ユーザＡのユーザ端末１０ａに、正しいメールアドレス及びパスワードの組み合わせの入力を求める。一方、受信したメールアドレス及びパスワードの組み合わせがＳＮＳ登録テーブルに存在する場合は、ＳＮＳサーバ１２ｂは、ＳＮＳサイトへのログインを成功させる。
【００５３】
尚、ユーザ端末１０ａが、ＳＮＳサイトにアクセスした際に、当該ユーザ端末１０ａ（又は、ブラウザのクッキー等）に、ＳＮＳ用のメールアドレス及びパスワードを予め記憶させている場合には、ＳＮＳサーバ１２ｂが、記憶されたメールアドレス及びパスワードを用いて、ＳＮＳサイトへのログインを成功させても良い。
【００５４】
さて、ＳＮＳサイトへのログインが成功すれば、ＳＮＳサーバ１２ｂは、ユーザ端末１０ａの端末出力部にＳＮＳサイトのＳＮＳメッセージ画面を表示させるが、この時に、紹介サーバ１２ａの紹介キャンペーン提供部２０４は、紹介キャンペーンサイトにログイン中のユーザＡの識別情報を含む紹介キャンペーンサイトのアドレスを生成する。
【００５５】
紹介キャンペーンサイトのアドレス６０５は、例えば、図６Ａに示すように、キャンペーン用バナー６０６に対応付けられる。紹介キャンペーンサイトのアドレス６０５には、ユーザＡ及び紹介メッセージが反映された紹介メッセージ画面のアドレス６０５ａに加えて、ユーザＡの識別情報６０７（例えば、ユーザＡの氏名「ａａａ」）が含まれている。本発明の実施形態では、紹介キャンペーンサイトのアドレス６０５に、更に、紹介キャンペーンサイトのキャンペーン情報６０８と、ユーザＡが入会した店舗の店舗情報６０９とが含まれている。ユーザＡの識別情報６０７と、キャンペーン情報６０８と、店舗情報６０９は、ユーザＡが紹介キャンペーンサイトのホーム画面にログイン中であれば、紹介キャンペーン提供部２０４が、当該ホーム画面から取得して特定することが出来る。
【００５６】
そして、ＳＮＳサーバ１２ｂが、ＳＮＳメッセージ画面を表示させた際に、紹介サーバ１２ａの紹介キャンペーン提供部２０４が、ＳＮＳメッセージ画面に紹介キャンペーンのアドレス６０５を付加し、紹介者により紹介される被紹介者のユーザ端末１０ｂに提供する（図３：Ｓ１０４）。
【００５７】
ＳＮＳメッセージ画面６１０は、図６Ｂに示すように、ＳＮＳサイト用のメッセージ画面であり、ＳＮＳメッセージ画面６１０には、ＳＮＳサイトにおいてメッセージを送信する送信先の宛先欄６１１と、ＳＮＳ用のメッセージの入力欄６１２と、紹介キャンペーンのアドレス６０５に対応する紹介キャンペーン用バナー６０６と、紹介メッセージ６１３と、送信キー６１４と、キャンセルキー６１５とが含まれている。このＳＮＳメッセージ画面６１０に、紹介キャンペーン用バナー６０６が付加されることで、紹介者のユーザＡが、被紹介者となる任意のユーザに紹介キャンペーンのアドレス６０５を自由に送信することが出来る。これにより、ユーザＡは、ＳＮＳを利用して紹介キャンペーンを簡単にＳＮＳの友人、家族等に紹介することが出来るとともに、紹介キャンペーンサイトのアドレス６０５を提供することが出来る。
【００５８】
例えば、ユーザＡが、端末入力部を用いてＳＮＳメッセージ画面６１０の宛先欄６１１を選択し、紹介キャンペーンを紹介したい被紹介者のＳＮＳユーザの氏名の頭文字（例えば、「ｂ」）を入力すると、ＳＮＳサーバ１２ｂが、図６Ｂに示すように、ユーザＡに関連付けられたＳＮＳユーザであって、入力された頭文字の氏名を有するＳＮＳユーザ６１６（例えば、「ｂｂｂ」、「ｂｃｃ」等）を選択可能に表示する。ユーザＡは、表示されたＳＮＳユーザのうち、紹介キャンペーンを紹介したいＳＮＳユーザ６１６ａ（例えば、「ｂｂｂ」）を選択すれば、ＳＮＳサーバ１２ｂは、選択されたＳＮＳユーザ６１６ａを、ＳＮＳメッセージ画面６１０の宛先欄６１１に入力する。このように、ＳＮＳメッセージ画面では、ＳＮＳサイトの機能（ＳＮＳサイトのデータベース）を利用することが出来る。
【００５９】
そして、ユーザＡは、図７Ａに示すように、端末入力部を用いてＳＮＳ用のメッセージの入力欄６１２に「入りましょう！」等のメッセージを入力し、送信キー６１４を選択すると、ＳＮＳサーバ１２ｂは、ユーザ端末１０ａを介して、入力された宛先（「ｂｂｂ」）と、入力されたメッセージ（「入りましょう！」）と、紹介キャンペーン用バナー６０６と、紹介メッセージ６１３（「お勧めです。」）とを受信し、宛先（「ｂｂｂ」）のＳＮＳユーザ（ユーザＢ）に、メッセージ（「入りましょう！」）と、紹介キャンペーン用バナー６０６と、紹介メッセージ６１３（「お勧めです。」）を送信する。
【００６０】
ＳＮＳサーバ１２ｂが受信を完了すると、ＳＮＳメッセージ画面６１０を消去するため、紹介サーバ１２ａの画面制御部２０３は、図７Ａに示すように、紹介キャンペーンサイトにおけるホーム画面５０５をユーザ端末１０ａの端末出力部に表示させる。これにより、ユーザＡによるＳＮＳを利用した紹介キャンペーンの紹介が完了する。
【００６１】
さて、ユーザＡが紹介キャンペーンを紹介したユーザＢが、自分が所有するユーザ端末１０ｂを用いてユーザ端末１０ｂの端末入力部（キーボードキー等）にＳＮＳサイトのアドレスを入力すると、ユーザ端末１０ｂが、ＳＮＳサイトにアクセスし、ＳＮＳサーバ１２ｂが、ユーザ端末１０ｂからのアクセスを受けて、ＳＮＳのＩＤ及びＳＮＳのパスワードを求めるＳＮＳログイン画面をユーザ端末１０ｂの端末出力部に表示させる。
【００６２】
ＳＮＳログイン画面７００には、図７Ｂに示すように、ＳＮＳのメールアドレスの入力欄７０１と、ＳＮＳのパスワードの入力欄７０２と、ログインキー７０３と、キャンセルキー７０４とが含まれている。
【００６３】
ここで、ユーザＢは、メールアドレスの入力欄７０１に、ＳＮＳサイトに予め登録した自己のメールアドレス（「ｂｂｂ＠ａｂｃ」）と、パスワードの入力欄７０２に、ＳＮＳサイトに予め登録した自己のパスワード（「３３３」）とを入力し、ログインキー７０３を選択すると、ユーザ端末１０ｂの端末通信部は、入力されたメールアドレスとパスワードとをＳＮＳサーバ１２ｂへ送信する。ＳＮＳサーバ１２ｂは、ＳＮＳログイン画面７００からメールアドレスとパスワードとを受信すると、受信したメールアドレス及びパスワードの組み合わせが、ＳＮＳ登録テーブルに存在するか否かを判定する。
【００６４】
そして、受信したメールアドレス及びパスワードの組み合わせがＳＮＳ登録テーブルに存在する場合は、ＳＮＳサーバ１２ｂは、ＳＮＳサイトへのログインを成功させ、ユーザ端末１０ｂの端末出力部にＳＮＳサイトのＳＮＳホーム画面を表示させる。
【００６５】
ＳＮＳホーム画面７０５には、図７Ｂに示すように、ユーザＢの氏名、画像等のプロフィール７０６が含まれている。ここで、ユーザＡが、ＳＮＳを利用してユーザＢにメッセージを送信しているため、ユーザＢがログインしているＳＮＳホーム画面７０５には、「メッセージが有ります。」等のお知らせ７０７が表示される。
【００６６】
そこで、ユーザＢは、ユーザ端末１０ｂの端末入力部を用いてお知らせ７０７を選択すると、ＳＮＳサーバ１２ｂは、ユーザ端末１０ｂの端末出力部にＳＮＳメッセージ画面を表示させる。
【００６７】
ＳＮＳメッセージ画面８００は、図８Ａに示すように、ＳＮＳホーム画面７０５に対してポップアップ表示され、ＳＮＳメッセージ画面８００には、ＳＮＳメッセージを送信したユーザＡの氏名、画像等のプロフィール８０１と、送信されたメッセージ８０２（「入りましょう！」）と、紹介キャンペーン用バナー６０６と、紹介メッセージ８０３（「お勧めです。」）と、返信キー８０４とが含まれている。これにより、ユーザＢは、ユーザＡからの紹介キャンペーンの紹介をＳＮＳで受け取ることが出来る。
【００６８】
そして、ユーザＢは、ＳＮＳメッセージ画面８００を見ながら、紹介キャンペーン用バナー６０６を選択すると、ユーザ端末１０ｂが、紹介キャンペーン用バナー６０６に対応する紹介キャンペーンのアドレス６０５を用いて紹介キャンペーンサイトにアクセスし、紹介サーバ１２ａの紹介登録部２０５が、ユーザ端末１０ｂからのアクセスを受けて、紹介メッセージ画面をユーザ端末１０ｂの端末出力部に表示させる（図３：Ｓ１０５）。
【００６９】
紹介メッセージ画面８０５には、図８Ａに示すように、「ａａａさんより紹介メッセージが有ります。」等のお知らせ８０６と、紹介者のユーザＡからの紹介メッセージ８０７（「お勧めです。」）と、紹介キャンペーンの詳細８０８と、紹介キャンペーンを実施している店舗に誘導するための来店カードキー８０９とが含まれている。
【００７０】
ここで、紹介サーバ１２ａの紹介登録部２０５は、紹介キャンペーンのアドレス６０５に含まれるユーザＡの識別情報６０７に基づいて、被紹介者のユーザＢを紹介した紹介者のユーザＡを特定するとともに、ユーザＡを紹介者として含むお知らせ８０６を表示させる。
【００７１】
このように、紹介キャンペーンのアドレス６０５のうち、誘導したい紹介メッセージ画面のアドレス６０５ａに加えて、ユーザＡの識別情報６０７を組み込むことで、被紹介者のユーザ端末１０ｂが紹介サーバ１２ａにアクセスした際に、紹介サーバ１２ａ側で、ユーザＡの識別情報６０７から、紹介者のユーザＡを正確に把握することが出来るとともに、紹介サーバ１２ａが、紹介者のユーザＡを反映させた画面を生成し、被紹介者のユーザＢに示すことで、被紹介者を安心させることが出来る。
【００７２】
又、本発明の実施形態では、紹介キャンペーンのアドレス６０５に、更に、紹介キャンペーンサイトのキャンペーン情報６０８と、紹介キャンペーンサイトの店舗情報６０９とを組み込んでいるため、紹介サーバ１２ａの紹介登録部２０５は、更に、紹介キャンペーンと、店舗とを正確に把握し、紹介キャンペーンと、店舗とを反映させた画面を生成し、被紹介者に示すことが出来る。具体的には、紹介サーバ１２ａの紹介登録部２０５が、紹介キャンペーンのアドレス６０５に含まれるキャンペーン情報６０８に基づいて紹介キャンペーンの詳細８０８を生成し、表示させる。仮に、紹介キャンペーンの期限が切れている場合には、紹介サーバ１２ａの紹介登録部２０５が、紹介キャンペーンの詳細８０８に、例えば、「この紹介キャンペーンは終了しました。」等の紹介キャンペーンの終了を示すことが出来る。更に、紹介サーバ１２ａの紹介登録部２０５が、紹介キャンペーンのアドレス６０５に含まれる店舗情報６０９に基づいて来店カードキー８０９を生成し、表示させる。
【００７３】
次に、ユーザＢは、紹介メッセージ画面８０５の来店カードキー８０９を選択すると、紹介サーバ１２ａの紹介登録部２０５は、店舗情報６０９の店舗（「ＺＺＺ」）に対応する来店カード画面をユーザ端末１０ｂの端末出力部に表示させる（図３：Ｓ１０６）。
【００７４】
来店カード画面８１０には、図８Ｂに示すように、氏名の入力欄８１１と、電話番号の入力欄８１２と、紹介者８１３（ここでは、ユーザＡの「ａａａ」）と、送信キー８１４とが含まれている。紹介サーバ１２ａの紹介登録部２０５は、紹介キャンペーンのアドレス６０５に含まれるユーザＡの識別情報８０７から紹介者８１３を取得し、来店カード画面８１０に反映させることが出来る。
【００７５】
ユーザＢは、端末入力部を用いて氏名の入力欄８１１に自己の氏名（例えば、「ｂｂｂ」）と、電話番号の入力欄８１２に自己の電話番号（例えば、「１２３４５６７８９」）とを入力し、送信キー８１４を選択すると、紹介サーバ１２ａの紹介登録部２０５は、入力されたユーザＢの氏名（「ｂｂｂ」）と、電話番号（「１２３４５６７８９」）と、紹介者（「ａａａ」）とを、紹介キャンペーンのアドレス６０５に含まれる店舗情報８０９（「ＺＺＺ」）の店舗端末１０ｃに送信する。店舗端末１０ｃは、受信したユーザＢの氏名（「ｂｂｂ」）を被紹介者として、図８Ｂに示すように、来店カードテーブル８１５に、被紹介者８１６（「ｂｂｂ」）と、電話番号８１７（「１２３４５６７８９」）と、紹介者８１８（「ａａａ」）とを関連付けて記憶させる（図３：Ｓ１０７）。
【００７６】
これにより、ユーザＢが、紹介キャンペーンを実施している店舗（「ＺＺＺ」）に訪れた場合に、店舗の従業員が店舗端末１０ｃの来店カードテーブル８１５を確認することで、ユーザＢがユーザＡから紹介された被紹介者であることを識別することが可能となる。又、ユーザＢが店舗に訪れない場合であっても、店舗の従業員が店舗端末１０ｃの来店カードテーブル８１５を確認し、ユーザＢの電話番号８１７を用いてユーザＢに問い合わせを行うことが出来るため、入会の可能性のあるユーザに積極的にアプローチをかけることが出来る。
【００７７】
さて、ユーザＢが、店舗（「ＺＺＺ」）に訪問し（図３：Ｓ１０８）、店舗で入会手続きを行う。店舗の従業員が、店舗端末１０ｃを確認しながら、ユーザＢから氏名、住所等の情報を会員情報として受け付けて、店舗端末１０ｃに入力することで、ユーザＢの入会が完了する（図３：Ｓ１０９）。
【００７８】
ここで、店舗の従業員は、店舗端末１０ｃの来店カードテーブル８１５から、ユーザＢの紹介者がユーザＡ（「ａａａ」）であると確認し、店舗端末１０ｃから紹介サーバ１２ａにアクセスし、ユーザＡ（「ａａａ」）の紹介によりユーザＢ（「ｂｂｂ」）が入会した旨を入力する。すると、紹介サーバ１２ａの紹介登録部２０５が、会員登録テーブル４１４の紹介者のユーザＡ（「ａａａ」）に、被紹介者のユーザＢ（「ｂｂｂ」）を関連付けて記憶させる（図３：Ｓ１１０）。
【００７９】
会員登録テーブル４１４には、図９Ａに示すように、紹介者４１５にユーザＡの氏名（「ａａａ」）が記憶されているため、紹介登録部２０５は、この紹介者４１５のユーザＡの氏名（「ａａａ」）に対応する被紹介者４１８に、ユーザＢの氏名（「ｂｂｂ」）を関連付けて記憶させる。このように、被紹介者が入会すると、紹介者に関連付けて記憶されるため、入会した被紹介者の数を紹介者に履歴として残すことが可能となる。そのため、被紹介者の数に応じた紹介者への特典のグレードアップを図ることが可能となり、紹介者のモチベーションを高めることが出来る。
【００８０】
さて、ユーザＢの入会完了後、店舗の従業員は、ユーザＢに、紹介キャンペーンサイトのアドレスを教えて、紹介キャンペーンサイトの会員登録を促す。ユーザＢは、ユーザ端末１０ｂの端末入力部を用いて紹介キャンペーンサイトのアドレスを入力し、ユーザ端末１０ｂが、アドレスの紹介キャンペーンサイトにアクセスすると、紹介サーバ１２ａの会員登録部２０１が、紹介キャンペーンサイトにおける新規会員受付画面を、ユーザ端末１０ｂの端末出力部に表示させる。
【００８１】
上述と同様に、ユーザＢが、自己のメールアドレス（「ｂｂｂ＠ａｂｃ」）を入力し、新規会員受付画面の送信キーを選択すると、紹介サーバ１２ａの会員登録部２０１は、会員登録テーブルに、受信したメールアドレスが存在するか否かを判定する。そして、紹介サーバ１２ａの会員登録部２０１は、受信したメールアドレスが会員登録テーブルに存在しないと判定し、新規会員登録画面のアドレスを含む案内メールを、受信したメールアドレスに返信する。
【００８２】
ユーザＢは、ユーザ端末１０ｂを用いて紹介サーバ１２ａからの案内メールを確認し、新規会員登録画面のアドレスを選択すると、紹介サーバ１２ａの会員登録部２０１が、紹介キャンペーンサイトにおける新規会員登録画面をユーザ端末１０ａの端末出力部に表示させる。
【００８３】
ユーザＢは、図９Ａに示すように、新規会員登録画面４０８を見ながら、氏名の入力欄４１０に自己の氏名（「ｂｂｂ」）と、メールアドレスの入力欄４１１に自己のメールアドレス（「ｂｂｂ＠ａｂｃ」）と、パスワードの入力欄４１２に所望のパスワード（例えば、「４４４」）とを入力し、送信キー４１３を選択すると、紹介サーバ１２ａの会員登録部２０１は、送信された氏名（「ｂｂｂ」）と、メールアドレス（「ｂｂｂ＠ａｂｃ」）と、パスワード（「４４４」）とを、図９Ｂに示すように、会員登録テーブル４１４の紹介者４１５と、メールアドレス４１６と、パスワード４１７との欄に、それぞれ記憶させる。これにより、紹介サーバ１２ａの会員登録部２０１は、ユーザＢを紹介キャンペーンサイトの会員として登録し、ユーザＢの新規会員登録が完了し（図３：Ｓ１１１）、ユーザＢは、紹介キャンペーンサイトへログイン可能となる。
【００８４】
ここで、紹介サーバ１２ａのプレゼント申請部２０２は、会員登録テーブル４１４の被紹介者４１８に、新たに記憶された紹介者４１５（「ｂｂｂ」）が存在するか否かを判定する。この時点では、ユーザＡが紹介したユーザＢが入会しているため、会員登録テーブル４１４の被紹介者４１８に紹介者４１５（「ｂｂｂ」）が存在する。この場合は、紹介サーバ１２ａのプレゼント申請部２０２は、紹介者のユーザＡと、被紹介者のユーザＢのいずれか又は両方に対してプレゼント申請を許可する。これにより、紹介者には、紹介に対するインセンティブを与え、被紹介者には、入会に対するインセンティブを与えることが出来る。
【００８５】
本発明の実施形態では、先ず、紹介サーバ１２ａのプレゼント申請部２０２は、ユーザＢに対してプレゼント申請を許可する。これにより、誰かの紹介により入会したユーザＢは、プレゼントを受け取ることが可能となる。
【００８６】
さて、ユーザＢは、ユーザ端末１０ｂを用いて紹介キャンペーンサイトにアクセスし、紹介キャンペーンサイトにおけるログイン画面でログインを成功させ、紹介キャンペーンサイトにおけるホーム画面を表示させる。すると、紹介サーバ１２ａのプレゼント申請部２０２は、ユーザＢに対してプレゼント申請を許可としているため、ユーザＢがログイン中のホーム画面では、プレゼント申請キーを選択することが出来る。
【００８７】
ユーザＢが、ホーム画面におけるプレゼント申請キーを選択すると、紹介サーバ１２ａのプレゼント申請部２０２が、紹介キャンペーンサイトにおけるプレゼント申請画面をユーザ端末１０ｂの端末出力部に表示させる。
【００８８】
プレゼント申請画面９００には、図９Ｂに示すように、選択可能な複数の商品キー９０１と、紹介者の入力欄９０２と、発送先の氏名の入力欄９０３と、発送先の住所の入力欄９０４と、申請キー９０５とが含まれている。商品キー９０１には、商品名や商品画像が含まれる。
【００８９】
ここで、ユーザＢは、所望の商品キー９０１を選択し、紹介者の入力欄９０２にユーザＡの氏名（「ａａａ」）と、発送先の氏名の入力欄９０３に自分の氏名（「ｂｂｂ」）と、発送先の住所の入力欄９０４に自分の住所とを入力し、申請キー９０５を選択すると、紹介サーバ１２ａのプレゼント申請部２０２が、プレゼント申請を受け付けて（図３：Ｓ１１２）、商品キー９０１に対応する商品と、紹介者の氏名（「ａａａ」）と、発送先の氏名（「ｂｂｂ」）と、発送先の住所とを受信し、商品発送テーブルに記憶させる。
【００９０】
店舗（「ＺＺＺ」）の従業員が、店舗端末１０ｃを用いて、商品発送テーブルを確認し、紹介者と、発送先の氏名に対応する被紹介者との組み合わせが、会員登録テーブル４１４の紹介者４１５と被紹介者４１８との組み合わせと一致していれば、被紹介者のユーザＢのプレゼント申請を許可し、店舗端末１０ｃから、商品発送テーブルに基づいて、配送センタ１３に商品の発送を指示する。配送センタ１３は、商品の発送の指示により、発送先の氏名（「ｂｂｂ」）で発送先の住所に商品を発送する。これにより、被紹介者のユーザＢは、所望の商品を入手することが出来る。尚、上述では、店舗（「ＺＺＺ」）の従業員が、商品の発送を指示したが、例えば、店舗の運営を管理する管理者が、管理端末を用いて、商品の発送を指示しても良い。
【００９１】
店舗（「ＺＺＺ」）の従業員が、商品の発送の指示を完了すると、商品発送テーブルの、発送先の氏名（「ｂｂｂ」）に、発送済を示す旨の発送済情報を付加する。すると、紹介サーバ１２ａのプレゼント申請部２０２は、会員登録テーブル４１４から、発送済情報が付加された発送先の氏名（「ｂｂｂ」）に対応する被紹介者４１８を検索し、検索した被紹介者４１８に関連付けられた紹介者４１５（「ａａａ」）のユーザＡに対してプレゼント申請を許可する。これにより、被紹介者のプレゼント申請が完了した後に、紹介者は、プレゼント申請を行うことが可能となる。
【００９２】
ここで、紹介サーバ１２ａのプレゼント申請部２０２は、プレゼント申請を許可した紹介者４１５のユーザＡの氏名（「ａａａ」）に関連付けられたメールアドレス４１６（「ａａａ＠ａｂｃ」）に、プレゼント申請画面のアドレスを含むプレゼントメールを送信する（図３：Ｓ１１３）。
【００９３】
プレゼントメール１０００には、図１０Ａに示すように、紹介サーバ１２ａの差出人（「ｉｎｆｏ＠ｒｅｇｉｓｔｅｒ」）１００１と、紹介者となるユーザＡの宛先（「ａａａ＠ａｂｃ」）１００２と、「ｂｂｂさんが入会し、プレゼント申請しました。ａａａさんは、プレゼント申請出来ます。」等のメッセージ１００３と、アドレスがリンクされた「プレゼント申請画面へ」のメッセージ１００４とが含まれている。
【００９４】
ここで、ユーザＡは、ユーザ端末１０ａを用いてメールを受信し、プレゼントメール１０００のメッセージ１００４を選択すると、紹介サーバ１２ａのプレゼント申請部２０２が、紹介キャンペーンサイトにおけるプレゼント申請画面をユーザ端末１０ａの端末出力部に表示させる。
【００９５】
プレゼント申請画面１００５には、図１０Ａに示すように、選択可能な複数の商品キー１００６と、紹介者の入力欄９０２の代わりに、被紹介者の入力欄１００７と、発送先の氏名の入力欄１００８と、発送先の住所の入力欄１００９と、申請キー１０１０とが含まれている。
【００９６】
ユーザＡは、上述と同様に、所望の商品キー１００６を選択し、被紹介者の入力欄１００７にユーザＢの氏名（「ｂｂｂ」）と、発送先の氏名の入力欄１００８に自分の氏名（「ａａａ」）と、発送先の住所の入力欄１００９に自分の住所とを入力し、申請キー１０１０を選択すると、紹介サーバ１２ａのプレゼント申請部２０２が、プレゼント申請を受け付けて（図３：Ｓ１１４）、商品キー１００６に対応する商品と、被紹介者の氏名（「ｂｂｂ」）と、発送先の氏名（「ａａａ」）と、発送先の住所とを商品発送テーブルに記憶させる。
【００９７】
店舗（「ＺＺＺ」）の従業員が、上述と同様に、店舗端末１０ｃを介して紹介サーバ１２ａの商品発送テーブルを確認し、発送先の氏名に対応する紹介者と被紹介者との組み合わせが、会員登録テーブル４１４の紹介者４１５と被紹介者４１８との組み合わせと一致していれば、紹介者のユーザＡのプレゼント申請を許可し、店舗端末１０ｃから、商品発送テーブルに基づいて、配送センタ１３に商品の発送を指示する。配送センタ１３は、商品の発送の指示により、発送先の氏名（「ａａａ」）で発送先の住所に商品を発送する。これにより、紹介者のユーザＡは、所望の商品を入手することが出来る。
【００９８】
ところで、Ｓ１０３において、ユーザＡが、端末入力部を用いて「メールで送る」キー５１９を選択した場合、紹介サーバ１２ａの紹介キャンペーン提供部２０４は、ユーザ端末１０ａにメールのアプリケーションを起動させ、メール送信画面を表示させるとともに、メール送信画面に紹介キャンペーンのアドレス６０５を付加し、被紹介者のユーザＢのユーザ端末１０ｂに提供する（図３：Ｓ１０４）。
【００９９】
メール送信画面１０１１には、図１０Ｂに示すように、ユーザＡの差出人（「ａａａ＠ａｂｃ」）１０１２と、宛先の入力欄１０１３と、メッセージの入力欄１０１４と、紹介キャンペーンのアドレス６０５に対応する紹介キャンペーン用バナー６０６と、送信キー１０１５とが含まれている。これにより、ユーザＡは、メールを利用して、紹介キャンペーンを簡単に紹介することが出来る。
【０１００】
メールの場合は、ユーザＡが、宛先の入力欄１０１３に、紹介キャンペーンを紹介したいユーザの氏名の頭文字を入力すると、メールのアプリケーションのアドレス帳が機能して、アドレス帳に予め登録されているユーザのうち、入力された頭文字の氏名を有するユーザのメールアドレスを検索して表示させる。そのため、ユーザＡは、今までメールを送ったことのあるユーザのメールアドレスを簡単に入力することが出来る。ユーザＡが、宛先の入力欄１０１３にユーザＢのメールアドレスと、メッセージの入力欄１０１４に、「いかがですか？」等のメッセージを入力し、送信キー１０１５を選択すると、ユーザ端末１０ａは、宛先のユーザＢのユーザ端末１０ｂへ、メッセージと紹介キャンペーン用バナー６０６とを含むメールを送信することが出来る。
【０１０１】
ユーザＢが、ユーザ端末１０ｂを用いてユーザＡからのメールを受け取り、ユーザＢが、メール内の紹介キャンペーン用バナー６０６を選択すると、ユーザ端末１０ｂが、紹介キャンペーンのアドレス６０５を用いて紹介キャンペーンサイトにアクセスし、紹介サーバ１２ａの画面制御部２０３が、紹介メッセージ画面８０５をユーザ端末１０ｂの端末出力部に表示させる。後の手順は、Ｓ１０５と同様である。このような方法であっても、友人、家族等に紹介可能である。
【０１０２】
尚、上述では、メールのアプリケーションにより紹介キャンペーン用バナー６０６を送信したが、例えば、電話番号を用いたＳＭＳ（Ｓｈｏｒｔ  Ｍｅｓｓａｇｅ  Ｓｅｒｖｉｃｅ）であっても、同様である。例えば、ユーザＡが、端末入力部を用いて「ＳＭＳで送る」キーを選択すれば、紹介サーバ１２ａの紹介キャンペーン提供部２０４は、ユーザ端末１０ａに、ＳＭＳのアプリケーションを起動させ、ＳＭＳ送信画面を表示させるとともに、ＳＭＳ送信画面に紹介キャンペーンのアドレス６０５を付加する。この場合は、紹介キャンペーン用バナー６０６をＳＭＳのメッセージに入れることが出来ないため、紹介キャンペーンのアドレス６０５のみが付加される。そして、ユーザＡが、ＳＭＳ送信画面に、紹介したいユーザＢの電話番号を入力し、必要に応じて、メッセージを入力して、送信キーを選択すれば、ユーザ端末１０ａは、ユーザＢの電話番号のユーザ端末１０ｂ（携帯電話端末）に、メッセージと紹介キャンペーンのアドレス６０５とを含むショートメッセージを送信することが出来る。
【０１０３】
ところで、Ｓ１０３において、ユーザＡが、端末入力部を用いて「ＱＲコード（登録商標）で送る」キー５２０を選択した場合、紹介サーバ１２ａの紹介キャンペーン提供部２０４は、ユーザ端末１０ａに、紹介キャンペーンのアドレス６０５に対応するＱＲコード（登録商標）を含むＱＲ画面を表示させ、被紹介者のユーザＢのユーザ端末１０ｂ提供する（図３：Ｓ１０４）。
【０１０４】
ＱＲ画面１０１６には、図１０Ｃに示すように、紹介キャンペーンのアドレス６０５に対応するＱＲコード（登録商標）１０１７が含まれている。これにより、ユーザＡは、例えば、紹介キャンペーンを紹介したいユーザＢが近くに存在する場合、ＱＲ画面１０１６をユーザＢに見せ、ユーザＢが、ユーザ端末１０ｂのＱＲコード（登録商標）リーダーを用いてＱＲ画面１０１６のＱＲコード（登録商標）１０１７を読み取れば、ユーザＢは、ユーザ端末１０ｂで紹介キャンペーンのアドレス６０５を用いて紹介キャンペーンサイトにアクセスすることが可能である。そのため、この場合は、ユーザＡが、ＳＮＳやメールでメッセージを作成する必要が無く、身近なユーザに簡単に紹介することが可能となる。後の手順は、Ｓ１０５と同様である。
【０１０５】
本発明の実施形態では、紹介システム１が各部を備えるよう構成したが、当該各部を実現するプログラムを記憶媒体に記憶させ、当該記憶媒体を提供するよう構成しても構わない。当該構成では、プログラムを装置に読み出させ、当該装置が前記各部を実現する。その場合、記録媒体から読み出されたプログラム自体が本発明の作用効果を奏する。さらに、各部が実行するステップをハードディスクに記憶させる方法として提供することも可能である。
【産業上の利用可能性】
【０１０６】
以上のように、本発明に係る紹介システム及び紹介方法は、ネットワークを利用した紹介キャンペーを実施するあらゆる会員制のサービスに有用であり、ネットワーク上で紹介者がサービス提供者に被紹介者を紹介した際に、被紹介者を安心させるとともに、サービス提供者が紹介者を正確に把握することが可能な紹介システム及び紹介方法として有効である。
【符号の説明】
【０１０７】
１  紹介システム
１０  ユーザ端末
１１  ネットワーク
１２  サーバ
１３  配送センタ
２０１  会員登録部
２０２  プレゼント申請部
２０３  画面制御部
２０４  紹介キャンペーン提供部
２０５  紹介登録部
【要約】
【解決手段】会員登録部２０１は、紹介者のユーザ端末が紹介キャンペーンサイトにアクセスし、前記紹介者の識別情報を入力すると、前記紹介者を前記紹介キャンペーンサイトの新規会員として登録し、前記紹介キャンペーンサイトへのログインを可能とする。紹介キャンペーン提供部２０４は、前記紹介キャンペーンサイトにログインしている前記紹介者のユーザ端末により、当該紹介キャンペーンサイトの紹介キーが選択されると、前記紹介者の識別情報を含む紹介キャンペーンサイトのアドレスを、前記紹介者により紹介される被紹介者のユーザ端末に提供する。紹介登録部２０５は、前記被紹介者のユーザ端末が前記紹介キャンペーンサイトのアドレスを用いて前記紹介キャンペーンサイトにアクセスすると、前記紹介キャンペーンサイトのアドレスに含まれる紹介者の識別情報に基づいて、前記紹介者を特定するとともに、前記紹介者を含む紹介メッセージ画面を表示させる。
【選択図】図２【図１】
0006052714.tif 000002
【図２】
0006052714.tif 000003
【図３】
0006052714.tif 000004
【図４】
0006052714.tif 000005
【図５】
0006052714.tif 000006
【図６】
0006052714.tif 000007
【図７】
0006052714.tif 000008
【図８】
0006052714.tif 000009
【図９】
0006052714.tif 000010
【図１０】
0006052714.tif 000011